(57)【特許請求の範囲】
【請求項１】
２本の水平梁と当該水平梁を連結し床板を支持する連結部材とを備えた仮設通路本体を有し、支持台に両端部が支持される仮設通路であって、
内側片、外側片および前記内側片と前記外側片とに連結される上側片とを有し、それぞれの前記水平梁の両端部にボルトにより固定される固定金具と、
一方の前記水平梁に固定される２つの前記固定金具に対となってそれぞれ前記仮設通路本体の背面から突出して取り付けられる２つの第１のブラケットと、
他方の前記水平梁に固定される２つの前記固定金具に対となってそれぞれ前記仮設通路本体の背面から突出して取り付けられる２つの第２ブラケットと、
前記第１のブラケットに両端が固定され前記仮設通路本体の背面側に張力を加える第１の張力付加部材と、
前記第２のブラケットに両端が固定され前記仮設通路本体の背面側に張力を加える第２の張力付加部材と、を有し、
前記支持台に支持された前記仮設通路本体の中央部の撓みを、２つの前記張力付加部材により抑制することを特徴とする仮設通路。
【請求項２】
請求項１記載の仮設通路において、それぞれの前記張力付加部材を前記仮設通路本体の背面よりも離れる方向に迫り出させてそれぞれ前記水平梁に設けることを特徴とする仮設通路。
【請求項３】
請求項１または２記載の仮設通路において、前記仮設通路本体が前記支持台に接触する位置に近い端部にそれぞれの前記固定金具をそれぞれの前記水平梁に固定することを特徴とする仮設通路。
【請求項４】
請求項１〜３のいずれか１項に記載の仮設通路において、それぞれの前記張力付加部材は、金属棒材であることを特徴とする仮設通路。
【発明の詳細な説明】
【技術分野】
【０００１】
本発明は、土木や建築工事等の工事現場において作業者を走行させるための仮設通路に関する。
【背景技術】
【０００２】
土木や建築工事等の工事現場においては、作業者を走行させるための仮設通路を建築物に隣接させて配置するようにしている。例えば、資材を運搬する車両の搬入場所と建築物との間に仮設通路を配置したり、建築物の外壁の仕上げ作業を行うための仮設通路を建築物に沿って取り付けたり、建築物の内部の作業を行うために建築物に取り付けるようにしたりしている。建築物に取り付けられた鋼材に配置するようにした仮設通路としては、特許文献１に記載されるように、鋼材からなる２本の梁材と、これを間隔を隔てて連結する連結棒材とを有し、トランザムとも言われる連結棒材に足場板つまり床板を掛け渡すようにしたものがある。また、建築物を構成する梁鉄筋の上に配置される仮設通路としては、特許文献２に記載されるものがある。
【先行技術文献】
【特許文献】
【０００３】
【特許文献１】特開平９−２１７４８２号公報
【特許文献２】特開平９−１３６５７号公報
【発明の概要】
【発明が解決しようとする課題】
【０００４】
特許文献１に記載されるように建築物に取り付けられた鋼材に配置するようにした仮設通路は、比較的短い間隔つまりピッチとなって建築物に設けられた鋼材に取り付けることができることになるので、仮設通路の長手方向中央部を含めて仮設通路の全体が鋼材により一定間隔置きに支持されることになり、仮設通路の撓み発生はない。また、特許文献２に記載されるように梁鉄筋の上に配置するようにした仮設通路においては、梁鉄筋の間隔が大きくないので、仮設通路の両端部を梁鉄筋の位置で支持するようにしても仮設通路の撓みは発生しない。
【０００５】
これに対し、基盤面から高い位置に仮設通路を配置する場合には、基盤に取り付けられた支持台に仮設通路が配置されることになり、支持台の設置数を少なくなるために、仮設通路の両端部を比較的大きく離れた支持台に固定することになる。このように、支持台の設置台数を少なくするには、１台の仮設通路の長さを長くするとともに、仮設通路の長手方向中央部を支持台により支持しないようにする必要がある。
【０００６】
仮設通路の両端部のみを支持台により支持するようにすると、仮設通路の長手方向中央部は自重により下方に向けて湾曲することになる。仮設通路が湾曲すると、その上を通ったり、作業を行ったりするための作業者の作業性が低下することになるので、１台の仮設通路の長さには限界がある。このため、支持台を長い間隔を置いて配置することができず、複数の仮設通路を連結して長い仮設通路を形成するには、短い長さの仮設通路の数を増加させるとともに、支持台の数も増加させる必要があり、仮設通路の敷設作業性を向上させることができないという問題点があった。
【０００７】
本発明の目的は、仮設通路を長くし得るようにして仮設通路の敷設作業性を向上することにある。
【課題を解決するための手段】
【０００８】
本発明の仮設通路は、２本の水平梁と当該水平梁を連結し床板を支持する連結部材とを備えた仮設通路本体を有し、支持台に両端部が支持される仮設通路であって、内側片、外側片および前記内側片と前記外側片とに連結される上側片とを有し、それぞれの前記水平梁の両端部にボルトにより固定される固定金具と、一方の前記水平梁に固定される２つの前記固定金具に対となってそれぞれ前記仮設通路本体の背面から突出して取り付けられる２つの第１のブラケットと、他方の前記水平梁に固定される２つの前記固定金具に対となってそれぞれ前記仮設通路本体の背面から突出して取り付けられる２つの第２ブラケットと、前記第１のブラケットに両端が固定され前記仮設通路本体の背面側に張力を加える第１の張力付加部材と、前記第２のブラケットに両端が固定され前記仮設通路本体の背面側に張力を加える第２の張力付加部材と、を有し、前記支持台に支持された前記仮設通路本体の中央部の撓みを、２つの前記張力付加部材により抑制することを特徴とする。
【０００９】
本発明の仮設通路は、それぞれの前記張力付加部材を前記仮設通路本体の背面よりも離れる方向に迫り出させてそれぞれ前記水平梁に設けることを特徴とする。本発明の仮設通路は、前記仮設通路本体が前記支持台に接触する位置に近い端部にそれぞれの前記固定金具をそれぞれの前記水平梁に固定することを特徴とする。本発明の仮設通路は、それぞれの前記張力付加部材は、金属棒材であることを特徴とする。
【発明の効果】
【００１０】
本発明の仮設通路は、張力付加部材により仮設通路本体の背面側に張力が加えられるので、仮設通路本体の表面側が凸となるように張力が加えられることになる。これにより、仮設通路をその両端部を支持台に支持した状態としたときには、仮設通路の長手方向中央部が下側に撓むことが抑制される。したがって、仮設通路を長い寸法とすることが可能となり、複数の仮設通路を連続的に基盤の上に敷設する場合に、基盤に取り付けられる支持台の数を少なくすることができるとともに仮設通路の数を少なくすることができるので、仮設通路の敷設作業を短時間に行うことができ、その作業性を向上させることができる。
【図面の簡単な説明】
【００１１】
【図１】支持台に取り付けられた仮設通路を示す正面図である。
【図２】図１の一部を示す拡大正面図である。
【図３】図１におけるＡ−Ａ線矢視図である。
【図４】（Ａ）は図１に示された仮設通路の平面図であり、（Ｂ）は（Ａ）の背面図である。
【図５】仮設通路の正面図である。
【図６】図４（Ａ）におけるＢ−Ｂ線断面図である。
【図７】図４（Ａ）におけるＣ−Ｃ線断面図である。
【図８】図４（Ａ）におけるＤ−Ｄ線断面図である。
【図９】図８におけるＥ部を示す拡大斜視図である。
【発明を実施するための形態】
【００１２】
以下、本発明の実施の形態を図面に基づいて詳細に説明する。図１には３つの仮設通路１０が示されており、それぞれの仮設通路１０は基盤１１に固定された支持台１２に両端部が支持されている。図１においては２つの支持台１２が示されており、中央部に示された仮設通路１０は、両端部が支持台１２に支持された状態で示され、左側の仮設通路１０は支持台１２に右端部が支持された状態で示され、右側の仮設通路１０は支持台１２に左側の端部が支持された状態で示されている。それぞれの仮設通路１０の端部はジョイント部材１３により連結されて、複数の仮設通路１０によって全体的に連なった通路が形成される。その通路の上で作業者により建築物の仕上げ作業や、資材の運搬作業等が行われる。
【００１３】
支持台１２は、図２および図３に示されるように、２つの門形フレーム１２ａを有している。２つの門形フレーム１２ａは上端部側の布板１４と、下側のパイプ１５とにより連結されており、支持台１２は全体的に直方体形状となっている。さらに、２つの門形フレーム１２ａの上端部には支持棒１６が図２における左右両端部に取り付けられており、支持棒１６により門形フレーム１２ａは相互に連結されている。
【００１４】
仮設通路１０は図４および図５に示されるように仮設通路本体２０を有している。仮設通路本体２０は図６に示されるように断面がほぼコの字形状の鋼材からなる２本の水平梁２１と、２本の水平梁２１を所定の間隔を隔てて相互に連結する複数のトランザムつまり連結部材２２とにより形成されている。それぞれの水平梁２１の内面にはブラケット２３がボルト２４により取り付けられるようになっており、ブラケット２３は連結部材２２の両端に取り付けられている。
【００１５】
それぞれの水平梁２１の内面には、図７に示されるように、ブラケット２５がボルト２４ａにより取り付けられるようになっている。それぞれのブラケット２５に固定されたピン２６には図４（Ｂ）に示されるように２本の筋交い２７が交差するようにして係合される。したがって、２本の水平梁２１に複数の連結部材２２をねじ結合し、筋交い２７をピン２６に係合させることにより仮設通路本体２０が組み立てられる。
【００１６】
仮設通路本体２０には複数の床板つまり足場板２８が装着される。それぞれの足場板２８は、図６に示されるように、連結部材２２の上に支持される。図４に示される仮設通路本体２０には、３枚が一列となって３列に足場板２８が装着されており、合計９枚の足場板２８が仮設通路本体２０に装着されている。このように、図示する仮設通路１０は、例えば、足場板１枚分の長さの仮設通路に比して３倍の長さとなる。床板つまり足場板２８としては、作業者が走行することができるものであれば、木製や金属製の板部材でも良く、メッシュ状となった金属製のエクスパンション板でも金網でも良い。
【００１７】
図５および図８に示されるように、それぞれの水平梁２１には２つの固定金具３１が対となって取り付けられている。それぞれの固定金具３１は、図８に示されるように、内側片３１ａと外側片３１ｂとこれらに連結される上側片３１ｃとを有しており、ボルト３２により水平梁２１に固定されている。内側片３１ａと外側片３１ｂはそれぞれ仮設通路本体２０の背面から突出しており、突出端にはブラケット３３がボルト３４により固定されている。それぞれのブラケット３３は、図９に示されるように、固定片３３ａと、これに対して直角となって仮設通路本体２０の内方に突出した対向片３３ｂとを有するＬ字形の金具により形成されており、ブラケット３３の上端部には補強片３３ｃが溶接されている。一方の水平梁２１に固定される２つの固定金具３１に対となって取り付けられる２つのブラケット３３は第１のブラケットであり、他方の水平梁２１に固定される２つの固定金具３１に対となって取り付けられる２つのブラケット３３は第２のブラケットである。
【００１８】
図８に示されるように、水平梁２１に固定金具３１を介して対となって取り付けられたブラケット３３には、金属棒材からなる張力付加部材３５が固定されている。張力付加部材３５は、図５に示されるように、仮設通路本体２０の背面よりも迫り出しており、仮設通路本体２０と張力付加部材３５との間にはスペース３６が設けられている。張力付加部材３５は、図４（Ｂ）に示されるように、２本の水平梁２１のそれぞれの背面側に取り付けられている。第１のブラケットに固定される張力負荷部材３５は第１の張力負荷部材であり、第２のブラケットに固定される張力負荷部材は第２の張力負荷部材である。
【００１９】
張力付加部材３５の両端部はブラケット３３の対向片３３ｂに形成された取付孔を貫通しており、両端部に形成された雄ねじ部にはナット３７がねじ止めされている。ナット３７を締め付けることにより、張力付加部材３５の仮設通路本体２０に対する張力つまり引っ張り力が調整され、仮設通路１０が使用されない状態のもとでは、図５において仮設通路１０の表面側が凸となる方向に仮設通路本体２０には張力が加えられる。これにより、図１に示されるように、足場板２８が装着された仮設通路１０が支持台１２に配置された状態のもとでは、仮設通路１０を長い寸法としても、仮設通路１０の長手方向中央部が下側に湾曲するように撓むことが防止される。
【００２０】
したがって、図１に示されるように、複数の支持台１２を相互に長い距離を置いて基盤１１に取り付けるようにしても、仮設通路１０の使用時に仮設通路１０の中央部が下向きとなるように撓むことが防止されるので、仮設通路１０を長くすることができる。さらに、複数の仮設通路１０により形成される通路全長を敷設するための支持台１２の数を少なくすることができるので、仮設通路の敷設作業を効率的に行うことができる。
【００２１】
張力付加部材３５の端部を固定するためのブラケット３３の水平梁２１に対する固定位置は、仮設通路本体２０の両端部のうち支持台１２に近い位置となっている。これにより、ナット３７の締め付けにより張力付加部材３５に発生させる張力を大きくすることなく、仮設通路１０の撓みを抑制することができる。図示する仮設通路本体２０には、それぞれの水平梁２１に張力付加部材３５が取り付けられている。両方の水平梁２１に張力付加部材３５を取り付けることにより、仮設通路１０の撓みを確実に抑制することができる。なお、張力付加部材３５の両端部にナット３７をねじ結合させることなく、張力付加部材３５の一端部にブラケット３３に当接する大径の頭部を設け、他端部にナット３７をねじ結合させるようにしても良い。
【００２２】
固定金具３１の上側片３１ｃには、図５および図９に示されるように引っ掛け部３８が設けられており、仮設通路１０をホイスト等の昇降機により持ち上げる際には、昇降機のフックが引っ掛け部３８に係合される。
【００２３】
それぞれの水平梁２１には、図１〜図３に示されるように、手摺り４１が設けられた手摺り支柱４２が着脱自在に装着されており、作業者が仮設通路１０を走行する際の安全が図られている。さらに、仮設通路１０には梯子４３が取り付けられるようになっており、梯子４３により基盤１１から作業者が仮設通路１０に上ることができるようになっている。ただし、手摺り４１や梯子４３を用いない形態の仮設通路１０とすることも可能である。
【００２４】
張力付加部材３５は金属製の断面円形の棒材により形成されているが、断面四角形の棒材を用いても良く、張力を加えることができる部材であれば、金属製のワイヤやチェーン等を用いるようにしても良い。
【００２５】
本発明は前記実施の形態に限定されるものではなく、その要旨を逸脱しない範囲で種々変更可能である。図示する場合には支持台１２が門形フレーム１２ａにより形成されているが、支持台１２の構造としては図示する形態に限られることなく、種々の形態とすることができる。例えば、建築物に設けられた開口部に仮設通路１０が橋渡されるときには、仮設通路１０の両端部は建築物に支持されることになり、建築物が支持台を構成することになる。
【符号の説明】
【００２６】
１０    仮設通路
１１    基盤
１２    支持台
１２ａ    門形フレーム
１３    ジョイント部材
１４    布板
１５    パイプ
１６    支持棒
２０    仮設通路本体
２１    水平梁
２２    連結部材
２３    ブラケット
２４    ボルト
２５    ブラケット
２６    ピン
２７    筋交い
２８    足場板
３１    固定金具
３１ａ    内側片
３１ｂ    外側片
３１ｃ    上側片
３２    ボルト
３３    ブラケット
３３ａ    固定片
３３ｂ    対向片
３３ｃ    補強片
３４    ボルト
３５    張力付加部材
３６    スペース
３７    ナット
３８    引っ掛け部
【図１】
0005937333.tif 000002
【図２】
0005937333.tif 000003
【図３】
0005937333.tif 000004
【図４】
0005937333.tif 000005
【図５】
0005937333.tif 000006
【図６】
0005937333.tif 000007
【図７】
0005937333.tif 000008
【図８】
0005937333.tif 000009
【図９】
0005937333.tif 000010